(57)【要約】【課題】  受診者が診療券を紛失した場合でも、診療券を拾った他人が受診者の個人情報を見ることができないようにする。【解決手段】  受診者が受診の受付を行った場合に、受診者の個人情報を電子診療券１０に表示すると共に、診療が終了した場合に、受診者の個人情報を電子診療券１０から消去するようにしている。これにより、医療機関内では、受診者の個人情報が電子診療券１０に表示され、医療機関外では受診者の個人情報が電子診療券１０に表示されなくなる。従って、医療機関外で紛失した電子診療券１０を他人が拾っても、受診者の個人情報を見ることができないので、受診者の個人情報を適切に保護することができる。【選択図】        図３
2007299158.tif 000002
【特許請求の範囲】
【請求項１】
通電時に表示内容を書き換えて表示すると共に、前記表示内容を無通電状態でも保持して表示する表示部と、前記表示内容を表示部に表示させる表示制御部と、受診者毎に異なる識別情報を記録する記録部とを備える電子診療券と、
受診者の個人情報を前記識別情報に関連付けて記憶する記憶部と、受診者の受付操作及び受診終了操作を行う入力部と、前記入力部により受付操作が行われた場合に、前記受診者の携帯する電子診療券の前記記録部から前記識別情報を読み出して前記識別情報に関連する前記個人情報を前記記憶部から読み出し、前記電子診療券に前記個人情報を書き換えさせると共に、前記入力部により受診終了操作が行われた場合に、前記受診者の携帯する電子診療券から前記個人情報を消去させる情報書き換え部とを備える受診管理端末と、
を備えた受診者管理システム。
【請求項２】
受診者に配布される電子診療券であって、
前記受診者の受付を行ったことを示す受付開始情報、前記受診者の診療が終了したことを示す診療終了情報、及び、前記受診者の個人情報を外部機器から受信する受信部と、
前記受信部が前記受付開始情報を受信することにより通電して前記受信部が受信した前記個人情報を表示すると共に、前記受信部が前記診療終了信号を受信することにより通電して前記個人情報を消去して、これらの内容を無通電状態でも保持して表示する表示部と、
前記受信部によって受信された個人情報を前記表示部に表示させると共に、前記個人情報を前記表示部から消去する表示制御部と、
を備えた電子診療券。
【発明の詳細な説明】
【技術分野】
【０００１】
本発明は、診療を受ける患者を病院で管理する受診者管理システム及び電子診療券に関し、特に診療を受ける患者を特定するために用いられる受診者管理システム及び電子診療券に関する。
【背景技術】
【０００２】
従来、医療機関で用いられる診療券としては、紙やプラスチックなどの材料でできたカードがある。このような診療券には、医療機関の名称（病院の名前）や医療機関の住所、医療機関の電話番号などと共に、患者の氏名や患者の住所、患者の電話番号などが記載されている。診療を受ける患者（以下、受診者と記載する）は、医療機関の受付などで、この診療券を提示することで、診療を受けることができる。
【０００３】
また、診療券の一部に感熱記録方式などによるリライト表示部を設け、診療の予約状況を書き換えるようにしたものがある（例えば、特許文献１など）。
【特許文献１】特開２００１−６３２５５号公報
【０００４】
しかしながら、特許文献１を含む従来の技術では、診療券に受診者の氏名や受診者の住所、受診者の電話番号などの受診者の個人情報が記載されているので、例えば、受診者が診療券を紛失した場合に、診療券を拾った他人に受診者の個人情報を知られてしまうという問題があった。
【発明の開示】
【発明が解決しようとする課題】
【０００５】
この発明は、上記の問題を解決するためになされたものであり、受診者が診療券を紛失した場合でも、診療券を拾った他人が受診者の個人情報を見ることができないようにすることを目的とする。
【課題を解決するための手段】
【０００６】
上記の目的を達成するために、この発明は、受診者が受診の受付を行った場合に、受診者の個人情報を電子診療券に表示すると共に、診療が終了した場合に、受診者の個人情報を電子診療券から消去して、これらの内容を無通電状態でも保持するようにしている。
【発明の効果】
【０００７】
上記のように構成した本発明によれば、受診者が受診の受付をしたときに通電し、この通電により受診者の個人情報が電子診療券に表示されると共に、診療が終了したときに通電し、この通電により受診者の個人情報が電子診療券から消去されるので、医療機関外では受診者の個人情報が電子診療券に表示されなくなる。従って、医療機関外で紛失した診療券を他人が拾っても、受診者の個人情報を見ることができないので、受診者の個人情報を適切に保護することができる。
【発明を実施するための最良の形態】
【０００８】
以下、図面を参照して、この発明の一実施形態について説明する。図１は、本発明の一実施例による受診者管理システムの構成例を示す概略図であり、図２は、本発明の一実施形態による受診者管理システムの構成例を示すブロック図である。図１及び図２に示すように、本実施形態による受診者管理システムは、受診者管理端末１と電子診療券１０とを備える。ここで、受診者管理端末１は、入力部２、記憶部３、表示部４、制御部５、情報書き換え部６を備えて構成されている。また、電子診療券１０は、表示制御部１１、受信部１２、表示部１３を備えて構成されている。また、電子診療券１０は、通常、受診者毎に用意されているが、説明を簡略化するために本実施形態では電子診療券１０を一枚だけ示している。また、それぞれの電子診療券１０（又は受診者）は識別情報により区別されている。
【０００９】
受診者管理端末１は、病院の医療従事者や受付担当者（以下、まとめて受付担当者と記載する）によって操作されるものであって、パーソナルコンピュータ１Ａなどで実現される。入力部２は、キーボード１Ｂや図示しないマウスなどの入力デバイスであって、受診者管理端末１に対して受付担当者が受診の受付操作や受診終了の操作などの入力を行うためのものである。
【００１０】
記憶部３は、パーソナルコンピュータ１Ａ内の図示しないハードディスクドライブなどにより構成されており、受診者の識別情報と、受診者の個人情報と、この受診者の医療情報（診療科や病名などの情報）とを識別情報に関連付けて記憶する。表示部４は、例えばＬＣＤ（Liquid Crystal Display）などを用いたディスプレイ装置１Ｃであって、記憶部３から読み出された情報や入力部２により入力された情報などを表示する。
【００１１】
制御部５は、受診者管理端末１の各構成要素を制御する。情報書き換え部６は、ネットワーク１Ｄなどによりパーソナルコンピュータ１Ａに接続されており、電子診療券１０に記録されている識別情報を読み取るための図示しない識別情報読み取り部と、識別情報読み取り部により読み取られた識別情報に基づいて制御部５が記憶部より読み出した受診者の個人情報を送信する図示しない個人情報送信部とを備えて構成されている。また、個人情報送信部は、受診者の個人情報を消去するための個人情報消去指示信号を送信する。
【００１２】
入力部２により受診の受付操作が行われると、制御部５は、情報書き換え部６を制御して、識別情報読み取り部を動作させる。識別情報読み取り部が電子診療券１０の識別情報を読み取ると、制御部５は、その識別情報に関連付けて記憶部３に記憶されている受診者の個人情報を読み出す。そして、制御部５は、情報書き換え部６を制御して、個人情報送信部を動作させる。個人情報送信部は、制御部５が読み出した個人情報を電子診療券１０に送信する。
【００１３】
一方、入力部２により受診終了の操作が行われると、制御部５は、情報書き換え部６を制御して個人情報送信部を動作させる。個人情報送信部は、電子診療券１０に表示されている受診者の個人情報を消去するための個人情報消去指示信号を送信する。
【００１４】
電子診療券１０は、図３に示すように、文字情報などにより医療機関の名称を固定表示すると共に、受診者の個人情報（受診者の氏名、住所、電話番号などの情報）を書き換え可能に表示する。表示制御部１１は、電子診療券１０の各構成要素を制御する。受信部１２は、受診者管理端末１の情報書き換え部６から送信された受診者の個人情報及び個人情報消去指示信号を受信する。ここで、受信部１２が受信する個人情報は、受信部１２を備えた電子診療券１０に記録された識別情報により選択される。ここで、識別情報は、電子診療券１０の内部に設けた図示しない記憶部に記憶されている。なお、バーコードのような視認可能な情報を電子診療券１０に表示することで、個人情報を記録するようにしても良い。
【００１５】
受診者管理端末１の情報書き換え部６と電子診療券１０の受信部１２との間の通信方法の一例として、ＲＦＩＤ（Radio Frequency Identification）が考えられる。ＲＦＩＤは、一般に非接触型ＩＣカードや非接触型ＩＣタグと呼ばれる媒体に用いられるものであり、受信部１２は、電子情報が記録されたＩＣチップとこのＩＣチップに接合されたアンテナ回路を含む回路部から形成される。そして、上記アンテナ回路が情報書き換え部６から特定の電磁波を受けると、電磁誘導効果や静電結合効果によりＩＣチップに電源が供給され、ＩＣチップは上記アンテナ回路を通じて送信部と通信を行う。
【００１６】
表示部１３は、受信部１２が受信した個人情報を表示するもので、電子ペーパーにより構成されている。電子ペーパーは、内部に光源を必要とせずに視認が可能で、デジタルやアナログの情報を表示・書き換え可能で、表示を維持するためのエネルギー（バックアップ電源）が不要で、かつ書き換えエネルギーが小さいことが特徴であり、フレキシブル性を有している。一般的に電子ペーパーは、電圧をかけることによって、液晶の光学特性を変化させたり、固体または液体の荷電粒子を電極に吸引したり、粒子反転を起こしたりすることにより表示を行うものである。本実施形態においても、表示情報の書き換え制御の一例として、このような電圧印加状態を変化させることで実現する。ここで、書き換えられた表示内容は、次の書き換え制御がなされるまで無通電で保持される。
【００１７】
次に、電子診療券１０の表示内容の変化について説明する。受診者管理装置１の入力部２により受診者の受付操作が行われ、電子診療券１０が情報書き換え部６に近付けられると、制御部５は、情報書き換え部６を制御して、識別情報読み取り部を動作させる。識別情報読み取り部が電子診療券１０の識別情報を読み取ると、制御部５は、その識別情報に関連付けて記憶部３に記憶されている受診者の個人情報を読み出す。そして、制御部５は、情報書き換え部６を制御して、個人情報送信部を動作させる。個人情報送信部は、制御部５が読み出した個人情報を電子診療券１０に送信する。電子診療券１０の表示制御部１１は、受診部１２が受信した個人情報を表示させる（図３（ａ）参照）。このように、受付操作が行われると、電子診療券１０の表示部１３には、受診者の個人情報が表示されるので、受診者や医療従事者は、個人情報を視認することができる。
【００１８】
一方、所定の診療が終了して、入力部２により受診終了の操作が行われ、電子診療券１０が情報書き換え部６に近付けられると、制御部５は、情報書き換え部６を制御して個人情報送信部を動作させる。個人情報送信部は、電子診療券１０に表示されている受診者の個人情報を消去するための個人情報消去指示信号を送信する。電子診療券１０の表示制御部１１は、受診部１２が受信した個人情報消去指示信号に基づいて、表示部１３に表示されている個人情報を消去させる（図３（ｂ）参照）。このように、受信終了の操作が行われると、電子診療券１０の表示部１３には、受診者の個人情報が表示されなくなるので、医療機関外では電子診療券１０に個人情報が表示されなくなる。
【００１９】
以上詳しく説明したように、本実施形態によれば、受診者が受診の受付を行った場合に、受診者の個人情報を電子診療券１０に表示すると共に、診療が終了した場合に、受診者の個人情報を電子診療券１０から消去するようにしている。これにより、医療機関内では、受診者の個人情報が電子診療券１０に表示され、医療機関外では受診者の個人情報が電子診療券１０に表示されなくなる。従って、医療機関外で紛失した電子診療券１０を他人が拾っても、受診者の個人情報を見ることができないので、受診者の個人情報を適切に保護することができる。また、医療機関の名称や医療機関の住所、医療機関の電話番号などを固定表示情報として電子診療券１０に常時表示するようにすれば、電子診療券１０を拾った人が医療機関に連絡を取ることにより電子診療券１０の回収を期待することができる。
【００２０】
また、表示部１３を電子ペーパーにより構成し、電子診療券１０内には識別情報のみが記憶されているので、電子診療券１０を解析しても受診者の個人情報を取得することができず、受診者の個人情報を強固に保護することができる。また、同様に理由により、感熱記録方式などによるリライト表示部のように、情報の痕跡が残る心配も無い。
【００２１】
なお、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【図面の簡単な説明】
【００２２】
【図１】本実施形態による受診者管理システムの構成例を示す概略図である。
【図２】本実施形態による受診者管理システムの構成例を示すブロック図である。
【図３】本実施形態による電子診療券の表示例を示す図である。
【符号の説明】
【００２３】
１    受診者管理端末
２    入力部
３    記憶部
４    表示部
５    制御部
６    情報書き換え部
１０    電子診療券
１１    表示制御部
１２    受信部
１３    表示部
【図１】
2007299158.tif 000003
【図２】
2007299158.tif 000004
【図３】
2007299158.tif 000005